(57)【特許請求の範囲】
【請求項１】
複数の転送領域を持つ垂直転送レジスタと前記垂直転送レジスタの出力端に接続された水平転送レジスタと前記複数の転送領域にそれぞれ割り当てられた複数の受光素子とを有するインターライン転送方式のＣＣＤイメージャ、
電子シャッタ方式で前記ＣＣＤイメージャの露光を制御する露光制御手段、
前記露光制御手段の露光によって生成された電荷を前記複数の受光素子の少なくとも一部から前記垂直転送レジスタに読み出す読み出し手段、
前記読み出し手段によって前記垂直転送レジスタに読み出された電荷を垂直方向に転送する垂直転送手段、
前記垂直転送手段の転送によって前記水平転送レジスタに到達した電荷を水平方向に転送する水平転送手段、
前記ＣＣＤイメージャから出力された電荷に基づいて１画面の画像信号を生成する生成手段、
撮影指示を入力する指示キー、
前記ＣＣＤイメージャの前面に配置されるかつ前記ＣＣＤイメージャへの光の入射を遮断するシャッタ部材、および
前記指示キーの操作に応答して前記シャッタ部材を駆動する駆動手段を備え、
前記露光制御手段は、第１期間の第１露光を行い、前記第１露光の後に前記第１期間よりも短い第２期間の第２露光を行い、前記読み出し手段は、前記第１露光および前記第２露光によってそれぞれ生成された第１電荷および第２電荷を前記複数の受光素子のうち垂直方向に間欠的に存在する特定受光素子から前記垂直転送レジスタに読み出し、前記垂直転送手段は、前記垂直転送レジスタ上で前記第２電荷が前記第１電荷と互い違いになるように前記第１電荷を所定距離にわたって垂直方向に転送し、前記生成手段は前記ＣＣＤイメージャから出力された前記第１電荷と前記第２電荷とに基づいて１画面分の第１画像信号を生成し、
前記露光制御手段は、前記指示キーの操作に応答して第３期間の第３露光を行ない、前記第３露光の後に第４露光を開始し、前記読み出し手段は、前記第３露光によって生成された第３電荷を前記複数の受光素子から前記垂直転送レジスタに読み出し、前記第４露光によって生成された第４電荷を前記第３電荷の垂直転送が完了した後に前記複数の受光素子から前記垂直転送レジスタに読み出し、前記駆動手段は前記第４露光の開始時から前記第３期間とは異なる第４期間が経過したときに前記シャッタ部材を駆動し、前記生成手段は、前記ＣＣＤイメージャから出力された前記第３電荷および前記第４電荷に基づいて１画面分の第２画像信号を生成する、ディジタルカメラ。
【請求項２】
前記第１画像信号に対応する画像を表示するモニタをさらに備える、請求項１記載のディジタルカメラ。
【請求項３】
前記第２画像信号を圧縮状態で記録媒体に記録する記録手段をさらに備える、請求項１または２記載のディジタルカメラ。
【発明の詳細な説明】
【０００１】
【産業上の利用分野】
この発明はディジタルカメラに関し、特にたとえば、第１露光によってＣＣＤイメージャで生成された第１電荷（第１カメラ信号）と第２露光によってＣＣＤイメージャで生成された第２電荷（第２カメラ信号）とに基づいて１画面分の画像信号を生成する、ディジタルカメラに関する。
【０００２】
【従来の技術】
ディジタルカメラでは、被写体像の撮影にＣＣＤイメージャのようなイメージセンサが用いられる。ＣＣＤイメージャの前面に被写体の光像が照射されると、受光素子が光量に応じた電荷を光電変換によって生成し、生成された電荷は垂直転送レジスタおよび水平転送レジスタを経て出力される。このような電荷（カメラ信号）が所定の信号処理を施されることで、被写体像がモニタに再現される。また、被写体像が記録媒体に記録される。
【０００３】
【発明が解決しようとする課題】
しかし、受光素子が蓄積できる電荷量に限界があるため、被写体像の中に光量が極端に多い部分（明るい部分）があると、その部分の電荷が飽和してしまう。このため、従来のディジタルカメラでは、撮影された被写体像のダイナミックレンジが制限されていた。
【０００４】
それゆえに、この発明の主たる目的は、撮影された被写体像のダイナミックレンジを拡大することができる、ディジタルカメラを提供することである。
【０００５】
【課題を解決するための手段】
この発明に従うディジタルカメラは、複数の転送領域を持つ垂直転送レジスタと垂直転送レジスタの出力端に接続された水平転送レジスタと複数の転送領域にそれぞれ割り当てられた複数の受光素子とを有するインターライン転送方式のＣＣＤイメージャ、電子シャッタ方式でＣＣＤイメージャの露光を制御する露光制御手段、露光制御手段の露光によって生成された電荷を複数の受光素子の少なくとも一部から垂直転送レジスタに読み出す読み出し手段、読み出し手段によって垂直転送レジスタに読み出された電荷を垂直方向に転送する垂直転送手段、垂直転送手段の転送によって水平転送レジスタに到達した電荷を水平方向に転送する水平転送手段、ＣＣＤイメージャから出力された電荷に基づいて１画面の画像信号を生成する生成手段、撮影指示を入力する指示キー、ＣＣＤイメージャの前面に配置されるかつＣＣＤイメージャへの光の入射を遮断するシャッタ部材、および指示キーの操作に応答してシャッタ部材を駆動する駆動手段を備え、露光制御手段は、第１期間の第１露光を行い、第１露光の後に第１期間よりも短い第２期間の第２露光を行い、読み出し手段は、第１露光および第２露光によってそれぞれ生成された第１電荷および第２電荷を複数の受光素子のうち垂直方向に間欠的に存在する特定受光素子から垂直転送レジスタに読み出し、垂直転送手段は、垂直転送レジスタ上で第２電荷が第１電荷と互い違いになるように第１電荷を所定距離にわたって垂直方向に転送し、生成手段はＣＣＤイメージャから出力された第１電荷と第２電荷とに基づいて１画面分の第１画像信号を生成し、露光制御手段は、指示キーの操作に応答して第３期間の第３露光を行ない、第３露光の後に第４露光を開始し、読み出し手段は、第３露光によって生成された第３電荷を複数の受光素子から垂直転送レジスタに読み出し、第４露光によって生成された第４電荷を第３電荷の垂直転送が完了した後に複数の受光素子から垂直転送レジスタに読み出し、駆動手段は第４露光の開始時から第３期間とは異なる第４期間が経過したときにシャッタ部材を駆動し、生成手段は、ＣＣＤイメージャから出力された第３電荷および第４電荷に基づいて１画面分の第２画像信号を生成する。
【０００６】
【作用】
ＣＣＤイメージャは、複数の転送領域を持つ垂直転送レジスタと垂直転送レジスタの出力端に接続された水平転送レジスタと複数の転送領域にそれぞれ割り当てられた複数の受光素子とを有する。露光制御手段は、かかるＣＣＤイメージャの露光を電子シャッタ方式で制御し、読み出し手段は、露光制御手段の露光によって生成された電荷を複数の受光素子の少なくとも一部から垂直転送レジスタに読み出す。
読み出し手段によって垂直転送レジスタに読み出された電荷は垂直転送手段によって垂直方向に転送され、この垂直転送によって水平転送レジスタに到達した電荷は水平転送手段によって水平方向に転送される。生成手段は、こうしてＣＣＤイメージャから出力された電荷に基づいて１画面の画像信号を生成する。
また、ＣＣＤイメージャの前面にはＣＣＤイメージャへの光の入射を遮断するシャッタ部材が配置される。駆動手段は、撮影指示を入力する指示キーの操作に応答して、かかるシャッタ部材を駆動する。
指示キーが操作されないときは、以下の動作が実行される。つまり、露光制御手段は、第１期間の第１露光を行い、第１露光の後に第１期間よりも短い第２期間の第２露光を行う。読み出し手段は、第１露光によって生成された第１電荷を複数の受光素子のうち垂直方向に間欠的に存在する特定受光素子から垂直転送レジスタに読み出し、第２露光によって生成された第２電荷を特定受光素子から垂直転送レジスタに読み出す。垂直転送手段は、垂直転送レジスタ上で第２電荷が第１電荷と互い違いになるように、第１電荷を所定距離にわたって垂直方向に転送する。生成手段は、ＣＣＤイメージャから出力された第１電荷と第２電荷とに基づいて１画面分の第１画像信号を生成する。
指示キーが操作されると、以下の動作が実行される。つまり、露光制御手段は、指示キーの操作に応答して第３期間の第３露光を行ない、第３露光の後に第４露光を開始する。読み出し手段は、第３露光によって生成された第３電荷を複数の受光素子から垂直転送レジスタに読み出し、第４露光によって生成された第４電荷を第３電荷の垂直転送が完了した後に複数の受光素子から垂直転送レジスタに読み出す。駆動手段は、第４露光の開始時から第３期間とは異なる第４期間が経過したときにシャッタ部材を駆動する。生成手段は、ＣＣＤイメージャから出力された第３電荷および第４電荷に基づいて１画面分の第２画像信号を生成する。
【００１９】
【発明の効果】
この発明によれば、撮影画像のダイナミックレンジを拡大することができる。
【００２０】
この発明の上述の目的，その他の目的，特徴および利点は、図面を参照して行う以下の実施例の詳細な説明から一層明らかとなろう。
【００２１】
【実施例】
図１を参照して、この実施例のディジタルカメラ１０は、光学レンズ１２ならびに機械的に動作して入射光を遮断するシャッタ部材１４を含む。被写体の光像は、このような光学レンズ１２およびシャッタ部材１４を介してＣＣＤイメージャ１６に照射される。なお、ＣＣＤイメージャ１６はＸＧＡの解像度をもち、水平方向および垂直方向の画素数は“１２８０”および“９６０”である。
【００２２】
ＣＣＤイメージャ１６には、図２に示すように複数の受光素子１６ａが形成される。それぞれの受光素子１６ａの前面には、Ｒ，ＧおよびＢのフィルタ要素がモザイク状に配列された原色フィルタ１５が装着される。受光素子１６ａがＣＣＤイメージャ１６の画素を構成し、いずれかのフィルタ要素が各受光素子１６ａに対応する。被写体の光像は、このような原色フィルタ１５を通して受光素子１６ａに供給され、光電変換を施される。
【００２３】
受光素子１６ａで光電変換された電荷は、垂直転送レジスタ１６ｂに読み出される。垂直転送レジスタ１６ｂは水平方向に１２８０個配置され、それぞれの垂直転送レジスタ１６ｂは複数のメタルからなる。１つの受光素子１６ａには３つのメタルが対応し、この３つのメタルによって１つの転送領域が形成される。電荷の読み出し時は、１つの転送領域を形成する３つのメタルのうち斜線で示す中央のメタルの電位が上がる。このため、各受光素子１６ａに蓄積された電荷は、互いに混ざり合うことなく垂直転送レジスタ１６ｂに読み出される。読み出された電荷はその後、それぞれのメタルの電位を変化させることによって、互いに混合されることなく垂直方向に転送される。それぞれの垂直転送レジスタ１６ｂの出力端には、水平転送レジスタ１６ｃが接続される。水平転送レジスタ１６ｃは、各垂直転送レジスタ１６ｂから１ライン分の電荷が入力される毎に、その電荷を水平方向に転送する。このようにして、各受光素子１６ａに蓄積された電荷がカメラ信号として１ラインずつ出力される。
【００２４】
受光素子１６ａに蓄積された電荷は電荷読み出しパルスＸＳＧに応答して垂直転送レジスタ１６ｂに読み出され、読み出された電荷は垂直転送パルスＸＶ１に応答して水平転送レジスタ１６ｃ側に転送され、そして水平転送レジスタ１６ｃに与えられた電荷は水平転送パルスＸＨ１に応答して外部に出力される。また、非露光期間に受光素子１６ａに蓄積された電荷は、電荷掃き捨てパルスＸＳＵＢによってオーバフロードレイン（図示せず）に掃き捨てられる。上述のそれぞれのパルスは、いずれもタイミングジェネレータ（ＴＧ）２２から出力され、ＣＣＤイメージャ１６に与えられる。これらのパルスの出力タイミングはＣＰＵ４０によって制御され、これによって露光期間や出力カメラ信号の画素数が変化する。なお、電荷掃き捨てパルスＸＳＵＢまたは電荷読み出しパルスＸＳＧによって露光を制御する方式は、電子シャッタと呼ばれる周知の技術である。
【００２５】
ＬＣＤ３８にリアルタイムの動画像を表示するカメラモードでは、図４（Ａ）に示す垂直同期信号Ｖｓｙｎｃに対して、図４（Ｂ）〜（Ｃ）に示すタイミングで、電荷掃き捨てパルスＸＳＵＢ，電荷読み出しパルスＸＳＧ，垂直転送パルスＸＶ１および水平転送パルスＸＨ１が出力される。まず、垂直同期信号Ｖｓｙｎｃに同期して電荷掃き捨てパルスＸＳＵＢが出力され、受光素子１６ａに蓄積された電荷がすべて掃き捨てられる。このときから第１露光が開始され、新たに生成された電荷が受光素子１６ａに蓄積されていく。所定期間が経過すると電荷読み出しパルスＸＳＧが出力され、所定の受光素子１６ａに蓄積された電荷が垂直転送レジスタ１６ｂに読み出される。
【００２６】
ＬＣＤ３８はＶＧＡの解像度をもち、カメラモードでは１２８０画素×２４０ライン分のカメラ信号から６４０画素×４８０ラインの表示画像が生成される。このため、図５（Ａ）に示すように８ラインを１単位として各ラインにＶ１〜Ｖ８を割り当てた場合、ラインＶ５およびＶ８に蓄積された電荷▲１▼が読み出される。このようにして１２８０画素×２４０ライン分の電荷▲１▼が読み出された時点で、第１露光が終了する。
【００２７】
図４に戻って、第１露光が終了した直後に電荷掃き捨てパルスＸＳＵＢが出力され、このときから第２露光が開始される。所定期間が経過すると、第１露光時と同じ電荷読み出しパルスＸＳＧが再度出力され、第１露光時と同じ受光素子１６ａから１２８０画素×２４０ライン分の電荷が読み出される。ここで、第２露光が終了する。第２露光が終了すると次回の第１露光の開始時点まで電荷掃き捨てパルスＸＳＵＢが繰り返し出力され、受光素子１６ａに蓄積される電荷は逐次掃き捨てられる。
【００２８】
垂直転送パルスＸＶ１による電荷の垂直転送および水平転送パルスＸＨ１による電荷の水平転送は、第２露光によって得られた電荷の読み出しと同時に開始される。カメラモードでは、９６０ライン分の受光素子１６ａのうち１／４の２４０ラインしか使用されず、垂直転送レジスタ１６ｂに７２０ライン分の空き転送領域ができる。このため、図５（Ｂ）に示すように、第２露光に基づく電荷▲２▼の読み出しと同時に、第１露光に基づく電荷▲１▼が垂直方向に移動される。
【００２９】
読み出しの対象となる受光素子１６ａは垂直方向において１つずつ間欠的に存在し、電荷▲１▼の移動距離は少なくとも１つの受光素子１６ａに対応する距離である。これによって、電荷▲１▼は、読み出しの対象となっていない受光素子１６ａに対応する転送領域（空き転送領域）まで移動する。電荷▲２▼が読み出された時点で、電荷▲１▼および▲２▼は、互いに混合されることなく１ラインおきに存在することとなる。電荷▲１▼および▲２▼は、この状態で垂直方向に転送され、その後、水平転送レジスタ１６ｃによって水平方向に転送される。水平転送レジスタ１６ｃからは、電荷▲１▼（第１カメラ信号）および電荷▲２▼（第２カメラ信号）が１ラインごとに交互に出力される。
【００３０】
図１を参照して、ＣＣＤイメージャ１６から出力された第１カメラ信号および第２カメラ信号は、ＣＤＳ／ＡＧＣ回路１８によって周知のノイズ除去およびレベル調整を施され、その後Ａ／Ｄ変換器２０によって第１カメラデータおよび第２カメラデータに変換される。
【００３１】
カメラモードにおいて、スイッチＳＷ１は端子Ｓ２および端子Ｓ３の間で１ライン期間ごとに切り換えられる。また、スイッチＳＷ２は端子Ｓ５と接続される。スイッチＳＷ１およびＳＷ２のいずれも、ＣＰＵ４０によって制御される。第１カメラデータおよび第２カメラデータは１ラインごとに混在するため、第１カメラデータはラインメモリ３０を介して１ライン遅れで、第２カメラデータは遅延することなく、２画面合成回路３２に入力される。つまり、同じラインの第１カメラデータおよび第２カメラデータが、同時に２画面合成回路３２に入力される。なお、ラインメモリ３０に対する書き込みおよび読み出しは、メモリ制御回路２４によって制御される。
【００３２】
２画面合成回路３２は、同時に入力された第１カメラデータおよび第２カメラデータのうち、輝度が所定条件を満足する信号を選択する。この実施例では、第１露光期間の方が第２露光期間よりも長いため、被写体の高輝度部分には第２カメラデータが用いられ、低輝度部分には第１カメラデータが用いられる。このようにして、ダイナミックレンジが擬似的に拡大された１２８０画素×２４０ラインの合成カメラデータが生成される。合成カメラデータはその後、信号処理回路３４によってＹＵＶ変換，間引き処理，補間処理などを施され、これによって６４０画素×４８０ラインの画像データが生成される。生成された画像データはＬＣＤ３８に出力され、この結果リアルタイムの動画像（スルー画像）が表示される。
【００３３】
オペレータがシャッタボタン４２を操作すると、ＣＰＵ４０は図６（Ａ）に示す撮影指示信号をＴＧ２２に与える。これに応じて、ＴＧ２２は、図６（Ｂ）〜（Ｆ）に示す電荷掃き捨てパルスＸＳＵＢ，電荷読み出しパルスＸＳＧ，シャッタ駆動信号，垂直転送パルスＸＶ１および水平転送パルスＸＨ１を出力する。
【００３４】
つまり、撮影指示とほぼ同時に電荷掃き捨てパルスＸＳＵＢが出力され、第３露光が開始される。所定期間が経過すると電荷読み出しパルスＸＳＧが出力され、１２８０画素×９６０ラインの電荷がすべて受光素子１６ａから垂直転送レジスタ１６ｂに読み出される。この時点で、第３露光が終了する。シャッタボタン４２が操作されたときはすべての受光素子１６ａから電荷が読み出されるため、垂直転送レジスタ１６ｂにはカメラモード時のような空きエリアが形成されることはない。垂直転送パルスＸＶ１および水平転送パルスＸＨ１は第３露光の終了直後に出力され、垂直転送レジスタ１６ｂに読み出された第３電荷つまり第３カメラ信号は、水平転送レジスタ１６ｃを介して速やかに出力される。
【００３５】
電荷読み出しパルスＸＳＧが出力された直後に電荷掃き捨てパルスＸＳＵＢが出力され、垂直転送の開始とほぼ同時に第４露光が開始される。第４露光の開始から所定期間が経過するとシャッタ駆動信号が立ち上がり、シャッタ部材１４が駆動される。これによって入射光が遮断され、第４露光が終了する。このように、第３露光の開始および終了ならびに第４露光の開始は電子シャッタ方式によって制御されるが、第４露光の終了はメカシャッタ方式によって制御される。
【００３６】
メカシャッタ方式ではＣＣＤイメージャ１６への光の照射が実際に妨げられるため、露光期間が経過した後速やかに電荷を読み出す必要はない。このため、シャッタ部材１４が閉じられた後も電荷は受光素子１６ａに保持され続ける。そして、第３露光に基づく第３電荷の垂直転送および水平転送が完了してから、電荷読み出しパルスＸＳＧが出力される。この電荷読み出しパルスＸＳＧによって、第４露光に基づく１２８０画素×９６０ラインの第４電荷が受光素子１６ａから読み出される。読み出しが完了するとシャッタ部材１４を閉じておく必要はなくなるため、シャッタ駆動信号が立ち下がり、シャッタ部材１４が開かれる。また、第３電荷が受光素子１６ａから読み出された直後に垂直転送パルスＸＶ１および水平転送パルスＸＨ１が出力され、第４露光に基づく第４電荷つまり第４カメラ信号が出力される。
【００３７】
このように、シャッタボタン４２が操作されたとき、第３カメラ信号および第４カメラ信号はＣＣＤイメージャ１６から個別に出力される。出力された第３カメラ信号および第４カメラ信号は、上述と同様にＣＤＳ／ＡＧＣ処理を経て第３カメラデータおよび第４カメラデータに変換される。ＣＰＵ４０は、Ａ／Ｄ変換器２０から第３カメラデータが出力されるときスイッチＳＷ１を端子Ｓ１と接続する。第３カメラデータは、メモリ制御回路２４によってフレームメモリ２８に書き込まれる。第３カメラデータがすべてフレームメモリ２８に書き込まれると、ＣＰＵ４０はスイッチＳＷ１を端子Ｓ３と接続する。したがって、第３カメラデータに続いてＡ／Ｄ変換器２０から出力される第４カメラデータは、直接２画面合成回路３２に入力される。
【００３８】
メモリ制御回路２４は、第４カメラデータがＡ／Ｄ変換器２０から出力されると同時に、フレームメモリ２８から第３カメラデータを読み出す。スイッチＳＷ４はＣＰＵ４０によって端子Ｓ４と接続され、読み出された第３カメラデータはスイッチＳＷ４を介して２画面合成回路３２に入力される。つまり、同じラインの第３カメラデータおよび第４カメラデータが、同時に２画面合成回路３２に入力される。
【００３９】
２画面合成回路３２は上述と同様に第３カメラデータおよび第４カメラデータを合成し、これによってダイナミックレンジが擬似的に拡大された１２８０画素×９６０ラインの合成カメラデータが生成される。信号処理回路３４は、生成された合成カメラデータにＹＵＶ変換を施し、かつＹＵＶデータをＪＰＥＧ方式で圧縮する。そして、圧縮画像データを記録媒体３６に記録する。
【００４０】
シャッタボタン４２の操作に応答したＴＧ２２の動作を、図３を用いて詳しく説明する。撮影指示信号はインバータ２２ａを介してカウンタ２２ｂのリセット端子に与えられ、これによってカウンタ２２ｂがリセットされる。また、水平転送パルスＸＨ１の２倍のクロックがカウンタ２２ｂのクロック端子に与えられ、カウント値はこのクロックによってインクリメントされる。このようにして生成されたカウント値がデコーダ２２ｃ〜２２ｇに入力される。デコーダ２２ｃ〜２２ｇはそれぞれ、入力されたカウント値に応答して、図６（Ｂ）〜（Ｆ）に示す電荷掃き捨てパルスＸＳＵＢ，電荷読み出しパルスＸＳＧ，シャッタ駆動信号，垂直転送パルスＸＶ１および水平転送パルスＸＨ１を生成する。つまり、デコーダ２２ｃ〜２２ｇは、シャッタボタン４２の操作に応答してＣＰＵ４０によって能動化される。
【００５５】
この実施例によれば、カメラモードでは、電子シャッタ方式で第１露光および第２露光が行われる。第１露光によって生成された第１電荷は、垂直方向に間欠的に存在する受光素子から垂直転送レジスタに読み出され、第２露光によって生成された第２電荷もまた、垂直方向に間欠的に存在する受光素子から垂直転送レジスタに読み出される。
【００５６】
ここで、第１電荷を読み出す受光素子は第２電荷を読み出す受光素子と同じ受光素子であり、第１電荷は第２電荷の読み出しと同時に垂直転送レジスタの空き転送領域に移動される。このため、第１電荷と第２電荷とが互いに混合されることはない。このような第１電荷および第２電荷に基づいて合成処理を実行することによって、ダイナミックレンジが擬似的に拡大された画像をＬＣＤに表示することができる。
【００５７】
また、シャッタボタンが押されたときは、メカシャッタ方式によってＣＣＤイメージャへの光の入射が実際に妨げられる。このため、露光終了後すぐに電荷を読み出す必要はなく、電荷を受光素子に保持し続けることができる。つまり、第３露光に基づく第３カメラ信号を出力している期間でも第４露光を行うことができ、第３露光時期と第４露光時期とを互いに近づけることができる。この結果、被写体が高速で動いている場合でも、記録画像にぶれが生じるのを抑えることができる。
【００５８】
なお、この実施例ではＲ，ＧおよびＢがモザイク状に配列された原色フィルタを用いて説明したが、Ｙｅ，Ｃｙ，ＭｇおよびＧがモザイク状に配列された補色フィルタを用いてもよい。
【００６１】
さらにまた、この実施例では、電子シャッタ方式による第１露光および第２露光ならびにこれに基づく第１カメラデータおよび第２カメラデータの合成処理を、カメラモードつまりスルー画像表示モードにおいてのみ行なうようにしているが、このような処理は被写体の動画像を記録媒体に記録する動画像記録モードにも適用できる。
【図面の簡単な説明】
【図１】この発明の１実施例を示すブロック図である。
【図２】図１実施例に適用されるＣＣＤイメージャを示す図解図である。
【図３】図１実施例に適用されるタイミングジェネレータの一部を示すブロック図である。
【図４】カメラモードにおける図１実施例の動作の一部を示すタイミング図である。
【図５】カメラモードにおける図１実施例の動作の一部を示す図解図である。
【図６】シャッタボタンが操作されたときの図１実施例の動作の一部を示すタイミング図である。
【図１】
0003609655.tif 000002
【図２】
0003609655.tif 000003
【図３】
0003609655.tif 000004
【図４】
0003609655.tif 000005
【図５】
0003609655.tif 000006
【図６】
0003609655.tif 000007